(57)【要約】【課題】レリーフに彫刻された画像に新たな装飾効果を与えることができ、レリーフの価値をより一層高めること。【解決手段】光透過性を有する材料からなって画像が三次元的に彫刻されたレリーフ１１と、レリーフ１１の背面に配置されて画像を背面から照明するための照明装置１２とを有する。レリーフ１１は、板状体を彫刻したものであり、かつ、画像ＧＦの内容においてより近い位置にある部分の方がより遠い位置にある部分よりも深く彫刻されて厚さが薄くなるように形成されている。【選択図】      図１
2008213331.tif 000002
【特許請求の範囲】
【請求項１】
光透過性を有する材料からなって画像が三次元的に彫刻されたレリーフと、
前記レリーフの背面に配置されて前記画像を背面から照明するための照明装置と、
を有してなることを特徴とするレリーフを用いた画像表示装置。
【請求項２】
前記レリーフは、板状体を彫刻したものであり、かつ、前記画像の内容においてより近い位置にある部分の方がより遠い位置にある部分よりも深く彫刻されて厚さが薄くなるように形成されている、
請求項１記載のレリーフを用いた画像表示装置。
【請求項３】
前記レリーフは、板状体を彫刻したものであり、かつ、前記画像の内容においてより遠い位置にある部分の方がより近い位置にある部分よりも深く彫刻されて厚さが薄くなるように形成されている、
請求項１記載のレリーフを用いた画像表示装置。
【請求項４】
前記レリーフは、その表面に前記画像に対応した印刷がなされている、
請求項１ないし３のいずれかに記載の画像表示装置。
【発明の詳細な説明】
【技術分野】
【０００１】
本発明は、画像が三次元的に彫刻されたレリーフを用いた画像表示装置に関する。
【背景技術】
【０００２】
従来より、住宅の室内、または店舗やホテルの室内などに、画像が三次元的に彫刻されたレリーフが装飾品や実用品として用いられている。通常、このようなレリーフは、額縁に収められて壁面などに掛けられ、またはテーブルや家具の上に立てかけられる。
【０００３】
また、レリーフをより立体的にまた綺麗に見せるための種々の工夫が提案されている。特許文献１では、無色透明の材料に画像を白く彫刻したパネルを作成し、その背後に色付透明のバックパネルを設けることが提案されている。これにより、彫刻を施したパネルの図柄が二重に見えて奥行きが増すとともに、彫刻に色を付けてカラー化することができる効果があるとされている。
【０００４】
また、特許文献２には、ガラス体の中にレーザ彫刻を施した立体モデルに濃淡を表現することが提案されている。
【０００５】
また、本来的なレリーフとは少し異なるが、ガラスの表面および裏面に同じ画像の線刻を施すことによって立体感を出すことが提案されている（特許文献３）。
【特許文献１】特開２００３−３２０７９７
【特許文献２】特開２００２−２７４１００
【特許文献３】特開２０００−１８５５００
【発明の開示】
【発明が解決しようとする課題】
【０００６】
上に述べたように、レリーフの立体感を向上させ、レリーフの濃淡の表現を可能としまたカラー化を図るための種々の方法が従来において提案されている。しかし、レリーフを用いてさらに新しい装飾効果を得ることができれば、レリーフの価値が一層向上することとなる。
【０００７】
本発明は、上述の事情に鑑みてなされたもので、レリーフに彫刻された画像に新たな装飾効果を与えることができ、レリーフの価値をより一層高めることのできる画像表示装置を提供することを目的とする。
【課題を解決するための手段】
【０００８】
本発明に係る一実施形態の画像表示装置は、光透過性を有する材料からなって画像が三次元的に彫刻されたレリーフと、前記レリーフの背面に配置されて前記画像を背面から照明するための照明装置とを有してなる。
【０００９】
１つの形態によると、前記レリーフは、板状体を彫刻したものであり、かつ、前記画像の内容においてより近い位置にある部分の方がより遠い位置にある部分よりも深く彫刻されて厚さが薄くなるように形成されている。
【００１０】
他の１つの形態によると、前記レリーフは、板状体を彫刻したものであり、かつ、前記画像の内容においてより遠い位置にある部分の方がより近い位置にある部分よりも深く彫刻されて厚さが薄くなるように形成されている。
【００１１】
また、好ましくは、前記レリーフは、その表面に前記画像に対応した印刷がなされている。
【発明の効果】
【００１２】
本発明によると、レリーフに彫刻された画像に新たな装飾効果を与えることができ、レリーフの価値をより一層高めることができる。
【発明を実施するための最良の形態】
【００１３】
〔第１の実施形態〕
図１は本発明に係る第１の実施形態の画像表示装置１の斜視図、図２は画像表示装置１の側面図、図３は画像表示装置１のレリーフ１１の画像ＧＦを拡大して示す正面図、図４はレリーフ１１の一部の拡大断面図である。
【００１４】
図１ないし図３において、画像表示装置１は、レリーフ１１および照明装置１２からなる。
【００１５】
レリーフ１１は、光透過性を有する材料からなっており、画像ＧＦが三次元的に彫刻されている。つまり、レリーフ１１は、その材料（レリーフ材料）ＲＺとして、透明または乳白色などの半透明の板状体であって、アクリル、ポリカーボネート、またはポリエステルなどの合成樹脂、人工大理石、ガラスなどが用いられる。レリーフ１１のサイズは、縦方向および横方向が数十センチメートル〜数メートル程度、厚さ方向が数ミリメートル〜数センチメートル程度である。このようなレリーフ材料ＲＺの表面に、切削によって、またはレーザカットによって、またはその他の方法によって、画像ＧＦに対応した彫刻が行われている。画像ＧＦの周囲には、枠部２１が設けられている。
【００１６】
レリーフ１１は、レリーフ材料ＲＺに彫刻が施されたままの状態で、着色されることなく用いられる。この場合には、レリーフ１１は、レリーフ材料ＲＺの材質の質感がそのまま表面に現れることとなる。なお、この場合でも、その表面に、表面保護のためにまたは表面に光沢を与えるために、その他の目的のために適当なコーティングを施してもよい。
【００１７】
また、レリーフ１１は、その表面には、画像ＧＦに対応したカラー印刷を行って着色してもよい。画像ＧＦの印刷を行うためには、例えばインクジェット方式のプリンタを用いればよい。
【００１８】
照明装置１２は、レリーフ１１の背面に配置されており、レリーフ１１の画像ＦＧを背面から照明する。照明装置１２として、ＥＬ（エレクトロルミネッセンスライト）、発光ダイオード、蛍光灯などが用いられる。ＥＬを用いた場合には、レリーフ１１と密着した状態で貼り合わせて一体化することが容易である。
【００１９】
さて、レリーフ１１は、画像ＧＦを三次元的に彫刻したものであるが、彫刻による凹凸の形成方法については、観察者に近い部分を凸とする第１の方法と、観察者に近い部分を凹とする第２の方法とがある。第１の方法では、画像ＧＦに描かれた物体などについて、画像ＧＦの通常の内容に沿って、観察者に近い部分が遠い部分よりもより手前に飛び出すように凹凸が形成される。これに対して、第２の方法では、第１の方法とは凹凸が逆（リバーサル）となり、観察者に近い部分が遠い部分よりもより奥側に引っ込むように凹凸が形成される。
【００２０】
すなわち、図４において、レリーフ１１の一部の画像ＧＦ１について、第１の方法による場合〔図４（Ｃ）〕と第２の方法による場合〔図４（Ｂ）〕とが示されている。
【００２１】
図４（Ａ）に示す画像ＧＦ１において、物体画像ＢＧ１，２，４は食用の「パン」であり、ふっくらと膨らんだ形状である。物体画像ＢＧ３は、パンを収容する容器である「籠」に敷かれた「布巾」である。図４（Ａ）におけるＡ−Ａ線断面矢視図が図４（Ｂ）（Ｃ）である。
【００２２】
第１の方法によった図４（Ｃ）において、「パン」である物体画像ＢＧ１，２，４は、「パン」らしくそれぞれ中央部分が凸となるように彫刻されており、「布巾」である物体画像ＢＧ３についても、ふんわりと敷かれた「布巾」らしく中央部分が凸となるように彫刻されている。物体画像ＢＧ１〜４の背景である背景画像ＫＧ１の部分については、画像ＧＦ１において最も遠い部分であるので、レリーフ１１においては最大の深さに彫刻され、最小の高さとなっている。
【００２３】
これに対して、第２の方法によった図４（Ｂ）において、「パン」である物体画像ＢＧ１，２，４は、それぞれ中央部分が凹となるように彫刻されており、「布巾」である物体画像ＢＧ３についても、中央部分が凹となるように彫刻されている。画像ＧＦ１において最も遠い部分である背景画像ＫＧ１については、レリーフ１１においては最小の深さに彫刻され、最大の高さとなっている。
【００２４】
第１の実施形態に示す画像表示装置１は、レリーフ１１の画像ＧＦが第２の方法で彫刻されている。つまり、図４（Ｂ）に示すように、レリーフ１１の表面は、画像ＧＦの内容においてより近い位置にある部分が深く彫刻され、その結果近い位置にある部分の厚さが薄くなるように形成されている。
【００２５】
そのため、本実施形態の画像表示装置１のように、レリーフ１１を照明装置１２で背面から照明し、正面側からその透過光で画像ＧＦを見た場合に、観察者に近い部分はレリーフ材料ＲＺの厚さが薄いので透過光量が多く明るく見え、観察者に遠い部分はレリーフ材料ＲＺの厚さが厚いので透過光量が少なく暗く見える。
【００２６】
その結果、レリーフ１１の画像ＧＦの内容の遠近に応じて、近い部分は明るく遠い部分は暗くという、明暗または陰影が生じ、レリーフ１１の凹凸によって新たな装飾効果が与えられる。したがって、レリーフ１１は、それ自体が立体的に見えるとともに、照明装置１２からの照明光による陰影によって立体感が増強され、さらに審美的な効果も得られる。
【００２７】
なお、図４（Ｂ）に示すような物体画像ＢＧ１〜４の凹凸について、遠近とは別に、画像ＧＦにおいて明るくして強調したい部分を深く彫るようにしてもよい。
〔第２の実施形態〕
次に、第２の実施形態の画像表示装置１Ｂについて説明する。第２の実施形態の画像表示装置１Ｂは、彫刻の方法を除いて第１の実施形態の画像表示装置１と同じであるので、同じである部分については図示および説明を省略する。
【００２８】
第２の実施形態の画像表示装置１Ｂは、第１の実施形態の画像表示装置１において、凹凸の形成方法を第１の方法としたものである。
【００２９】
すなわち、図４（Ｃ）に示すように、レリーフ１１Ｂの表面は、画像ＧＦの内容においてより遠い位置にある部分が深く彫刻され、その結果遠い位置にある部分の厚さが薄くなるように形成されている。
【００３０】
そのため、レリーフ１１Ｂを照明装置１２で背面から照明し、正面側からその透過光で画像ＧＦを見た場合に、観察者に近い部分はレリーフ材料ＲＺの厚さが厚いので透過光量が少なく暗く見え、観察者に遠い部分はレリーフ材料ＲＺの厚さが薄いので透過光量が多く明るく見える。
【００３１】
その結果、第１の実施形態の場合と明暗の見え方は異なるが、レリーフ１１の画像ＧＦの内容の遠近に応じて明暗または陰影が生じ、レリーフ１１の凹凸によって新たな装飾効果が与えられる。したがって、レリーフ１１は、それ自体が立体的に見えるとともに、照明装置１２からの照明光による陰影によってさらに審美的な効果が得られる。
【００３２】
上に述べたように、本実施形態によると、印刷による着色を行わない場合でも、レリーフ１１に対して、照明装置１２による透過光の強弱によって新たな画像が表現され、新しい感覚で鑑賞することができる。また、印刷による着色を行った場合には、さらに印刷画像と透過光による陰影とが重なり、さらに新たな画像が表現される。
【００３３】
上に述べた実施形態において、画像ＧＦとして、自然風景、都会風景、建物、人物、花、鳥、動物、抽象物、図形、文字など、種々のものを適用することができる。その他、レリーフ１１，１１Ｂ、照明装置１２、および画像表示装置１，１Ｂの全体または各部の構造、形状、寸法、個数、材質、画像の内容、凹凸の程度などは、本発明の趣旨に沿って適宜変更することができる。
【図面の簡単な説明】
【００３４】
【図１】本発明に係る第１の実施形態の画像表示装置の斜視図である。
【図２】画像表示装置の側面図である。
【図３】画像表示装置のレリーフの画像を拡大して示す正面図である。
【図４】レリーフの一部の拡大断面図である。
【符号の説明】
【００３５】
１，１Ｂ  画像表示装置
１１，１１Ｂ  レリーフ
１２  照明装置
ＧＦ  画像
ＢＧ  物体画像
ＫＧ  背景画像
ＲＺ  レリーフ材料
【図１】
2008213331.tif 000003
【図２】
2008213331.tif 000004
【図３】
2008213331.tif 000005
【図４】
2008213331.tif 000006